(57)【要約】【課題】夜間においても被掲示物の視認が容易である発光掲示装置を提供する。【解決手段】発光掲示装置１は、ポスター３の印刷面とは反対側の面が着脱可能に取付けられる構成であると共に、取付けられたポスター３の印刷面の全面を、印刷面とは反対側の面から照らす照明部２と、照明部２と電気的に接続されると共に、照明部２に太陽光を利用して発電した電気を供給する太陽光電源部即ちソーラーパネル４を備える。照明部２は、ポスター３が取付けられる透明アクリル板である導光板２Ａと、導光板２Ａの側面から導光板２Ａを照らすＬＥＤ２Ｂとで構成される。ポスター３は、透明シート５の一方の面に貼り付けられた状態で、導光板２Ａに取付けられる。ソーラーパネル４は、脚部７によって上下に角度変更が可能なように構成されている。【選択図】図１
2012145606.tif 000002
【特許請求の範囲】
【請求項１】
被掲示物が着脱可能に取付けられる構成であると共に、取付けられた前記被掲示物を照らす照明部と、
該照明部と電気的に接続されると共に、前記照明部に電気を供給する電源部と、
前記照明部の周囲の光を感知する光感知部と、
該光感知部が所定の暗さを感知した場合に、前記照明部を作動させて前記被掲示物を照らしめる制御部とを備える
発光掲示装置。
【請求項２】
前記照明部は、ＬＥＤと、該ＬＥＤを光源とする導光板とで構成された
請求項１に記載の発光掲示装置。
【請求項３】
前記電源部は、太陽光を利用して発電した電気を前記照明部に供給する太陽光電源部である
請求項１または請求項２に記載の発光掲示装置。
【請求項４】
前記太陽光電源部は、上下に角度変更可能に構成された
請求項３に記載の発光掲示装置。
【請求項５】
前記照明部は、シート状のＬＥＤである
請求項１に記載の発光掲示装置。
【請求項６】
被掲示物が着脱可能に取付けられる構成である本体と、
該本体に取付けられた前記被掲示物を照らす照明部と、
該照明部と電気的に接続されると共に、前記照明部に電気を供給する電源部と、
前記本体の周囲の光を感知する光感知部と、
該光感知部が所定の暗さを感知した場合に、前記照明部を作動させて前記被掲示物を照らしめる制御部とを備える
発光掲示装置。
【請求項７】
前記本体は前記照明部を光源とする導光板であり、前記照明部はＬＥＤを有して構成された
請求項６に記載の発光掲示装置。
【請求項８】
前記電源部は、太陽光を利用して発電した電気を前記照明部に供給する太陽光電源部である
請求項６または請求項７に記載の発光掲示装置。
【請求項９】
印刷が施されると共に、印刷が施された面である印刷面の全面を照らす照明部と、
該照明部と電気的に接続すると共に、前記照明部に電気を供給する電源部と、
前記照明部の周囲の光を感知する光感知部と、
該光感知部が所定の暗さを感知した場合に、前記照明部を作動させて前記印刷面を照らしめる制御部とを備える
発光掲示装置。
【発明の詳細な説明】
【技術分野】
【０００１】
本発明は発光掲示装置に関する。詳しくは、例えば選挙用ポスターが掲示される発光掲示装置に係るものである。
【背景技術】
【０００２】
日本国では、選挙が告示されると、選挙戦で使う候補者ポスターが、候補者ポスター掲示板に貼り付けられる。
【０００３】
候補者ポスター掲示板は、告示日から投票日まで、雨風雪などに耐えて、候補者のポスターを保持できるものであればよいので、候補者ポスター掲示板には、必要以上に強固な構造は必要なく、容易に組み立てられ、安価なものが求められる。
【０００４】
そこで、例えば特許文献１には、図５に示されるような掲示装置が記載されている。
即ち、特許文献１に記載の掲示装置は、表面１０４にポスターを貼着できかつ所定の面積を有する基板１０１と、基板１０１の上縁１０２を挟むことができる上支持杆１０７と、基板１０１の下縁１０３を挟むことができる下支持杆１１４と、上支持杆１０７と下支持杆１１４との間に配置して基板１０１を固定するための中間補強材１２１と、上下支持杆（１０７、１１４）及び中間補強材１２１を所定間隔で固定する縦連結材１２６とを備える。
【先行技術文献】
【特許文献】
【０００５】
【特許文献１】特開２００２−１４９０９９号公報
【発明の概要】
【発明が解決しようとする課題】
【０００６】
ところで、特許文献１に記載の掲示装置に単にポスターが貼り付けられるので、掲示装置の周囲が暗くなると、ポスターの内容を視認し難くなるが、生活様式の多様化によって、夜間に活動する者も多くなり、このような者に対してもポスターを見てもらいたいという要求がある。
【０００７】
本発明は、以上の点に鑑みて創案されたものであり、夜間においても被掲示物の視認が容易である発光掲示装置を提供することを目的とする。
【課題を解決するための手段】
【０００８】
上記の目的を達成するために、本発明の発光掲示装置は、被掲示物が着脱可能に取付けられる構成であると共に、取付けられた前記被掲示物を照らす照明部と、該照明部と電気的に接続されると共に、前記照明部に電気を供給する電源部と、前記照明部の周囲の光を感知する光感知部と、該光感知部が所定の暗さを感知した場合に、前記照明部を作動させて前記被掲示物を照らしめる制御部とを備える。
【０００９】
また、上記の目的を達成するために、本発明の発光掲示装置は、被掲示物が着脱可能に取付けられる構成である本体と、該本体に取付けられた前記被掲示物を照らす照明部と、該照明部と電気的に接続されると共に、前記照明部に電気を供給する電源部と、前記本体の周囲の光を感知する光感知部と、該光感知部が所定の暗さを感知した場合に、前記照明部を作動させて前記被掲示物を照らしめる制御部とを備える。
【００１０】
さらに、上記の目的を達成するために、本発明の発光掲示装置は、印刷が施されると共に、印刷が施された面である印刷面の全面を照らす照明部と、該照明部と電気的に接続すると共に、前記照明部に電気を供給する電源部と、前記照明部の周囲の光を感知する光感知部と、該光感知部が所定の暗さを感知した場合に、前記照明部を作動させて前記印刷面を照らしめる制御部とを備える。
【００１１】
ここで、光感知部が所定の暗さを感知した場合に、照明部を作動させて被掲示物（印刷面）を照らしめる制御部によって、例えば、昼間、空が厚い雲に覆われて暗くなった場合や、日没間近の時に暗くなった場合や、日没後に暗くなった場合に、被掲示物（印刷面）を照らすようにできる。
【００１２】
なお、本明細書で言う「所定の暗さ」とは、人が一般的に文字や絵などを見るに際して暗いと感じる暗さを意味する。
【００１３】
また、本発明の発光掲示装置において、照明部は、ＬＥＤと、ＬＥＤを光源とする導光板とで構成された場合、例えば被掲示物がシート状の印刷物であれば、印刷物全面を照らしやすくなる。
【００１４】
また、本発明の発光掲示装置において、電源部は、太陽光を利用して発電した電気を照明部に供給する太陽光電源部とすることができる。
また、本発明の発光掲示装置において、太陽光電源部は、上下に角度変更可能に構成された場合、太陽の位置に応じて太陽光が当たるよう太陽光電源部の角度を変更できるので、効率よく発電することができる。
【発明の効果】
【００１５】
本発明に係る発光掲示装置は、夜間においても被掲示物の視認が容易である。
【図面の簡単な説明】
【００１６】
【図１】本発明の発光掲示装置の一例を示す概略図である。
【図２】本発明の発光掲示装置のソーラーパネルが、正面を向いた場合の概略側面図（ａ）と上を向いた場合の概略側面図（ｂ）である。
【図３】本発明の発光掲示装置の他の構成例を示す概略図である。
【図４】本発明の発光掲示装置の使用例を示す概略図である。
【図５】従来の掲示装置の概略正面図（ａ）と概略側面図（ｂ）である。
【発明を実施するための形態】
【００１７】
以下、本発明の実施の形態について図面を参照しながら説明し、本発明の理解に供する。
図１は、本発明の発光掲示装置の一例を示す概略図である。また、図２は、本発明の発光掲示装置のソーラーパネルが、正面を向いた場合の概略側面図（ａ）と上を向いた場合の概略側面図（ｂ）である。
【００１８】
本発明の発光掲示装置１は、ポスター（被掲示物の一例である。）３の印刷面とは反対側の面が着脱可能に取付けられる構成であると共に、取付けられたポスター３の印刷面の全面を、印刷面とは反対側の面から照らす照明部２を備える。
【００１９】
また、照明部２は、ポスター３が取付けられる透明アクリル板である導光板２Ａと、導光板２Ａの側面から導光板２Ａを照らすＬＥＤ（発光ダイオード）２Ｂとで構成される。
【００２０】
また、ポスター３は、透明シート５の一方の面に貼り付けられた状態で、導光板２Ａに取付けられるが、被掲示物を着脱可能に取付けることができれば、必ずしもこの方法に限定されるものではない。
また、透明シートとしては、例えばアクリルシート、ポリカーボネートシート、ポリエステルシート、ポリスチレンシートが挙げられる。
【００２１】
また、本発明の発光掲示装置１は、照明部２と電気的に接続されると共に、照明部２に太陽光を利用して発電した電気を供給する太陽光電源部即ちソーラーパネル（電源部の一例である。）４を備える。
【００２２】
また、ソーラーパネル４は、脚部７によって上下に角度変更が可能なように構成されている。即ち、図２に示すように、脚部７が略中央部を軸にして回動することで、脚部７に取付けられたソーラーパネル４は、上下に角度変更が可能となる。
また、脚部７は、照明部２に取付けられた支持部６の上面に設置されている。
【００２３】
また、図示していないが、本発明の発光掲示装置１は、ソーラーパネル４が照明部２に供給する電気を蓄電する蓄電部と、照明部２の周囲の光を感知する光感知部と、光感知部が所定の暗さを感知した場合に、照明部２（ＬＥＤ２Ｂ）を作動させてポスター３を照らしめる制御部とを備える。
【００２４】
ここで、光感知部が所定の暗さを感知すると、蓄電部に蓄電された電気が使用されて、照明部２がポスター３を照らす。
【００２５】
ここで、制御部は、光感知部が所定の暗さを感知しなくなった場合、即ち、例えば夜が明けて明るくなった場合、若しくは、厚い雨雲が去って日が差し始めた場合、照明部を停止させて被掲示物（印刷面）を照らすことを止めさせる。
【００２６】
また、ポスターなどの印刷物の印刷された箇所（面）が照明部によって照らされれば良いので、例えば、照明部の表面に印刷を施して、印刷物と照明部を一体化することもできる。
【００２７】
ここで、本発明の発光掲示装置が、被掲示物若しくは印刷面を照らす照明部と、照明部と電気的に接続されると共に、照明部に電気を供給する電源部と、照明部の周囲の光を感知する光感知部と、光感知部が所定の暗さを感知した場合に、照明部を作動させて被掲示物を照らしめる制御部とを備えるのであれば、必ずしも太陽光電源部であるソーラーパネルを用いなくてもよく、また、ソーラーパネルは上下に角度変更可能に構成されていなくてもよい。
【００２８】
しかし、電源部が太陽光電源部であるソーラーパネルであり、ソーラーパネルが上下に角度変更可能に構成されていれば、太陽の位置に応じて太陽光が当たるよう太陽光電源部の角度を変更でき、効率よく発電することができるので好ましい。
また、フォトレジスターなどを利用して、ソーラーパネル４が太陽光を追跡するようにしてもよい。
【００２９】
また、本発明の発光掲示装置が、被掲示物若しくは印刷面を照らす照明部と、照明部と電気的に接続されると共に、照明部に電気を供給する電源部と、照明部の周囲の光を感知する光感知部と、光感知部が所定の暗さを感知した場合に、照明部を作動させて被掲示物を照らしめる制御部とを備えるのであれば、必ずしもＬＥＤを用いなくてもよく、例えば蛍光灯を用いてもよい。
【００３０】
また、照明部に電気を供給できるのであれば、必ずしも太陽光電源部であるソーラーパネルを用いなくてもよく、例えば風力を利用して発電した電気を照明部に供給する電源や、商用電源を用いることもできる。また、ソーラーパネルと商用電源を併用することもできる。
【００３１】
ここで、ソーラーパネルと商用電源を併用する場合、雨天や曇りの日が続いて、ソーラーパネルによる発電が不充分でも、商用電源を使うことができるので、電気は安定して照明部に供給される。
【００３２】
図３は、本発明の発光掲示装置の他の構成例を示す概略図である。
図１や図２に示す例では、照明部２に直接、ポスター３を取付けているが、図３に示すように、ポスター３の印刷面とは反対側の面が透明な本体１Ａに取付けられ、ポスター３の印刷面の全面を、本体１Ａのポスター３が取付けられた面とは反対側の面から照らすシート状のＬＥＤ２Ｂを、本発明の発光掲示装置１は備えるようにしてもよい。
【００３３】
また、図３に示す例において、シート状のＬＥＤ２Ｂの代わりに、図２に示すような導光板２ＡとＬＥＤ２Ｂとで構成された照明部を使用することができるのは勿論である。
【００３４】
また、図１〜３は、ソーラーパネル４を照明部２の上部にのみ取付けた例を示しているが、必ずしもこれに限定されるものではなく、例えば、照明部の下部にソーラーパネルを取付けてもよいし、照明部の上部、下部及び左右側部にそれぞれソーラーパネルを取付けてもよい。
【００３５】
図４は、本発明の発光掲示装置の使用例を示す概略図である。
図４に示すように、選挙候補者に関する情報が印刷されたシート状のポスターが照明部に取付けられた本発明の発光掲示装置１は、左右側部にそれぞれ支柱８が取付けられて、屋外に設置される。
【００３６】
そして、昼間、ソーラーパネルが発電して照明部に供給される電気は、蓄電部に蓄電しておき、光感知部が照明部の周囲の所定の暗さを感知すると、蓄電された電気が照明部に供給されて、照明部がポスターを、印刷面とは反対側の面から照らして、図４に示すように、本発明の発光掲示装置１に掲示されたポスターは、夜間でも目立つ存在となる。
【００３７】
また、本発明の発光掲示装置を、ポスターが貼り付けられる掲示板として使用した例を説明したが、必ずしもこれに限定されるものではない。
その他にも例えば、被掲示物としてピクトグラムが印刷されたプラスチックフィルム等を、照明部若しくは本体に取付けて、本発明の発光掲示装置を、老人ホームや病院において設置される避難口誘導灯として利用できる。
【００３８】
また、被掲示物として名前などが書かれたシートを、照明部若しくは本体に取付けて、本発明の発光掲示装置を、戸建の表札や、郵便受けの一部に利用できる。
また、被掲示物として広告若しくは店舗名が印刷された透過性の物を、照明部若しくは本体に取付けて、本発明の発光掲示装置を、屋外広告看板若しくは店舗店名看板として利用できる。
【００３９】
また、被掲示物として赤白青の三色の縞模様が印刷された透過性の物を、照明部若しくは本体に取付けて、本発明の発光掲示装置を、理容院や美容院のサインポールとして利用できる。
【００４０】
また、被掲示物として時刻表を、照明部若しくは本体に取付けて、本発明の発光掲示装置を、バス停留所の時刻表示板として利用できる。
【００４１】
このように、本発明の発光掲示装置は、光感知部が所定の暗さを感知した場合に、照明部を作動させて被掲示物（印刷面）を照らしめる制御部を備えるので、例えば、昼間、空が厚い雲に覆われて暗くなった場合や、日没間近の時に暗くなった場合や、日没後に暗くなった場合に、被掲示物（印刷面）を照らすようにできる。
【００４２】
従って、本発明の発光掲示装置は、夜間においても被掲示物の視認が容易である。
【００４３】
また、本発明の発光掲示装置は、このように夜間において照明部が被掲示物（印刷面）を照らすので、例えば街灯が乏しい路上に本発明の発光掲示装置を設置しておけば、街灯の代わりとなると共に、防犯にも役立つ。
【００４４】
また、本発明の発光掲示装置は、照明部として導光板を使用しているので、ポスターの全面積を照らすことができる。
【００４５】
また、本発明の発光掲示装置は、ソーラーパネルを備えているので、ＣＯ２削減効果があり、自然エネルギーである太陽光を利用するため、電気代は０円になり経済的にコストが掛からず、さらに、配電設備が整備されていない田園地帯や山岳地帯では、誘導板として利用されて遭難の回避に役立つ。
【００４６】
また、ソーラーパネルは上下に角度変更が可能なように構成されているので、ソーラーパネルに直射日光が当たる時間が最長となる位置にソーラーパネルを合わせることができ、効率良く発電することができる。
【符号の説明】
【００４７】
１    発光掲示装置
１Ａ  本体
２    照明部
２Ａ  導光板
２Ｂ  ＬＥＤ
３    ポスター
４    ソーラーパネル
５    透明シート
６    支持部
７    脚部
８    支柱
【図１】
2012145606.tif 000003
【図２】
2012145606.tif 000004
【図３】
2012145606.tif 000005
【図４】
2012145606.tif 000006
【図５】
2012145606.tif 000007